(57)【要約】【課題】本発明は速乾物干しかごを開示した。【解決手段】中心体を含み、前記中心体の下には旋転体が設けられ、前記中心体の上にはフックが回転できるように設けられ、前記旋転体の下には一級物干しかごが設けられ、前記一級物干しかごと前記旋転体との間に肩ひもが柔らかく連結され、前記中心体の内部には旋転チャンバが設けられ、前記旋転チャンバの内部には回転装置が設けられ、構造が簡単であり、操作が便利であり、本設備は物干しかごの中の服の水分を速く空気に揮発させ、また循環に排出し、且つ使わないとき物干しかごを取り入れ、物干しかごの体積を縮小でき、そのため、本設備は高い使用と普及の価値がある。【選択図】図１
2020175147.tif 000002
【特許請求の範囲】
【請求項１】
正面視で、中心体を含み、前記中心体の下には旋転体が設けられ、前記中心体の上にはフックが回転できるように設けられ、前記旋転体の下には一級物干しかごが設けられ、前記一級物干しかごと前記旋転体との間に肩ひもが柔らかく連結され、前記中心体の内部には旋転チャンバが設けられ、前記旋転チャンバの内部には回転装置が設けられ、前記一級物干しかごの内部には循環溝が設けられ、前記循環溝の上側壁には収納チャンバが設けられ、前記収納チャンバの上側壁には伝動チャンバが設けられ、前記循環溝の内部には循環装置が設けられ、前記収納チャンバの内部には収納装置が設けられ、前記伝動チャンバの内部には伝動装置が設けられ、前記一級物干しかごの内部には駆動機構が設けられ、前記駆動機構は動力軸とモータを含み、前記循環溝の上側壁の中には動力チャンバが設けられ、前記動力軸が前記動力チャンバの内部に設けられ、前記モータが前記動力チャンバの左側壁の中に固定的に設けられ、前記動力軸の左端が前記モータと伝動できるように連結され、駆動機構は伝動装置を回転連動させることができ、それにより収納装置を運動させ、物干しかごを収納することを特徴とする速乾物干しかご。
【請求項２】
前記収納装置は前記一級物干しかごの内部に回転可能に設けられる二級物干しかごを含み、前記二級物干しかごの内部には三級物干しかごが設けられ、前記三級物干しかごが一級物干しかごに回転可能に設けられ、前記三級物干しかごの内部には四級物干しかごが設けられ、前記四級物干しかごが前記一級物干しかごの表面に回転可能に設けられ、且つ前記一級物干しかごと、前記二級物干しかごと、前記三級物干しかごと、前記四級物干しかごはお互いに両方で組み合わせ、前記収納チャンバの内部には収納リングギアが設けられ、前記収納リングギアが前記四級物干しかごと固定的に連結され、、前記収納チャンバの内部には伝動軸が設けられ、前記伝動軸の底端には収納歯車が設けられ、前記収納歯車が前記収納リングギアと噛み合っていることを特徴とする請求項１に記載の速乾物干しかご。
【請求項３】
前記伝動装置は前記伝動チャンバの内部に回転可能に設けられる伝動主傘歯車を含み、前記伝動主傘歯車が前記動力軸の右端に回転可能に設けられ、前記伝動軸の頂端には前記伝動チャンバの内部に位置している伝動副傘歯車が設けられ、前記伝動副傘歯車が前記伝動主傘歯車と噛み合っており、前記動力軸の内部にはトルク溝が設けられ、前記トルク溝の内部にはほぞがスライド可能に設けられ、前記ほぞが前記伝動主傘歯車と係合しており、前記ほぞと前記トルク溝の底端にはトーションバネが弾性に設けられることを特徴とする請求項２に記載の速乾物干しかご。
【請求項４】
前記循環装置は前記循環溝の内部に設けられる循環軸を含み、前記循環軸の外表面には循環扇が設けられ、前記循環軸の頂端には前記動力チャンバの内部に位置している循環副傘歯車が設けられ、前記動力軸の外壁には前記動力チャンバの内部に位置している循環主傘歯車が設けられ、前記循環主傘歯車が前記循環副傘歯車と噛み合っていることを特徴とする請求項１に記載の速乾物干しかご。
【請求項５】
前記回転装置は前記旋転チャンバの内部に回転可能に設けられる回転扇を含み、前記旋転扇の内部には回転リングギアが設けられ、前記旋転チャンバの内部には遊星歯車が回転可能に設けられ、前記遊星歯車が前記回転リングギアと噛み合っており、前記旋転チャンバの内部には中心軸が回転可能に設けられ、前記中心軸の表面には回転歯車が固定的に設けられ、前記回転歯車が前記遊星歯車と噛み合っており、前記中心軸の内部にはスライド溝が設けられ、前記スライド溝の内部には嵌合歯車がスライド可能に設けられ、前記嵌合歯車が前記回転歯車との係合から離脱し、前記中心体と前記旋転体との間には引っ張りバネが弾性を持つように設けられ、前記旋転体が連接棒によって前記嵌合歯車と固定的に連結されることを特徴とする請求項４に記載の速乾物干しかご。
【発明の詳細な説明】
【技術分野】
【０００１】
本発明は日用品分野に関し、具体的には速乾物干しかごである。
【背景技術】
【０００２】
日常生活には、ある服は洗われた後掛かるとき変形しやすく、服の美しさと快適さに影響を与え、しかし物干しかごはこのような現象を避け、物干しかごに服を入れた後、干すまでに長い時間が必要であり、且つかごは体積が大きく、生活空間を占め、そのため、本発明は折りたたみ収納可能であり、また服の乾燥スピードを上げることができる物干しかごの設計を旨とする。
【先行技術文献】
【特許文献】
【０００３】
【特許文献１】中国特許出願公開第１０９１９９０４１号明細書
【発明の概要】
【発明が解決しようとする課題】
【０００４】
本発明は速乾物干しかごを提供し、既存技術にある上記の欠点を解消することを目的とする。
【課題を解決するための手段】
【０００５】
本発明の速乾物干しかごは、中心体を含み、前記中心体の下には旋転体が設けられ、前記中心体の上にはフックが回転できるように設けられ、前記旋転体の下には一級物干しかごが設けられ、前記一級物干しかごと前記旋転体との間に肩ひもが柔らかく連結され、前記中心体の内部には旋転チャンバが設けられ、前記旋転チャンバの内部には回転装置が設けられ、前記一級物干しかごの内部には循環溝が設けられ、前記循環溝の上側壁には収納チャンバが設けられ、前記収納チャンバの上側壁には伝動チャンバが設けられ、前記循環溝の内部には循環装置が設けられ、前記収納チャンバの内部には収納装置が設けられ、前記伝動チャンバの内部には伝動装置が設けられ、前記一級物干しかごの内部には駆動機構が設けられ、前記駆動機構は動力軸とモータを含み、前記循環溝の上側壁の中には動力チャンバが設けられ、前記動力軸が前記動力チャンバの内部に設けられ、前記モータが前記動力チャンバの左側壁の中に固定的に設けられ、前記動力軸の左端が前記モータと伝動できるように連結され、駆動機構は伝動装置を回転連動させることができ、それにより収納装置を運動させ、物干しかごを収納する。
【０００６】
有益的には、前記収納装置は前記一級物干しかごの内部に回転可能に設けられる二級物干しかごを含み、前記二級物干しかごの内部には三級物干しかごが設けられ、前記三級物干しかごが一級物干しかごに回転可能に設けられ、前記三級物干しかごの内部には四級物干しかごが設けられ、前記四級物干しかごが前記一級物干しかごの表面に回転可能に設けられ、且つ前記一級物干しかごと、前記二級物干しかごと、前記三級物干しかごと、前記四級物干しかごはお互いに両方で組み合わせ、前記収納チャンバの内部には収納リングギアが設けられ、前記収納リングギアが前記四級物干しかごと固定的に連結され、、前記収納チャンバの内部には伝動軸が設けられ、前記伝動軸の底端には収納歯車が設けられ、前記収納歯車が前記収納リングギアと噛み合っている。
【０００７】
有益的には、前記伝動装置は前記伝動チャンバの内部に回転可能に設けられる伝動主傘歯車を含み、前記伝動主傘歯車が前記動力軸の右端に回転可能に設けられ、前記伝動軸の頂端には前記伝動チャンバの内部に位置している伝動副傘歯車が設けられ、前記伝動副傘歯車が前記伝動主傘歯車と噛み合っており、前記動力軸の内部にはトルク溝が設けられ、前記トルク溝の内部にはほぞがスライド可能に設けられ、前記ほぞが前記伝動主傘歯車と係合しており、前記ほぞと前記トルク溝の底端にはトーションバネが弾性に設けられる。
【０００８】
有益的には、前記循環装置は前記循環溝の内部に設けられる循環軸を含み、前記循環軸の外表面には循環扇が設けられ、前記循環軸の頂端には前記動力チャンバの内部に位置している循環副傘歯車が設けられ、前記動力軸の外壁には前記動力チャンバの内部に位置している循環主傘歯車が設けられ、前記循環主傘歯車が前記循環副傘歯車と噛み合っている。
【０００９】
有益的には、前記回転装置は前記旋転チャンバの内部に回転可能に設けられる回転扇を含み、前記旋転扇の内部には回転リングギアが設けられ、前記旋転チャンバの内部には遊星歯車が回転可能に設けられ、前記遊星歯車が前記回転リングギアと噛み合っており、前記旋転チャンバの内部には中心軸が回転可能に設けられ、前記中心軸の表面には回転歯車が固定的に設けられ、前記回転歯車が前記遊星歯車と噛み合っており、前記中心軸の内部にはスライド溝が設けられ、前記スライド溝の内部には嵌合歯車がスライド可能に設けられ、前記嵌合歯車が前記回転歯車との係合から離脱し、前記中心体と前記旋転体との間には引っ張りバネが弾性を持つように設けられ、前記旋転体が連接棒によって前記嵌合歯車と固定的に連結される。
【発明の効果】
【００１０】
本発明の有益な効果は：構造が簡単であり、操作が便利であり、本設備は物干しかごの中の服の水分を速く空気に揮発させ、また循環に排出し、且つ使わないとき物干しかごを取り入れ、物干しかごの体積を縮小でき、そのため、本設備は高い使用と普及の価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の速乾物干しかごの全体構造略図
【図２】図２は図１におけるＡの構造略図
【図３】図３は図１におけるＢの構造略図
【図４】図４は図３におけるＣの構造略図
【発明を実施するための形態】
【００１３】
図１〜４の示すように、本発明の速乾物干しかごは、中心体１２を含み、前記中心体１２の下には旋転体１４が設けられ、前記中心体１２の上にはフック１１が回転できるように設けられ、前記旋転体１４の下には一級物干しかご１６が設けられ、前記一級物干しかご１６と前記旋転体１４との間に肩ひも１５が柔らかく連結され、前記中心体１２の内部には旋転チャンバ２２が設けられ、前記旋転チャンバ２２の内部には回転装置４００が設けられ、前記一級物干しかご１６の内部には循環溝３０が設けられ、前記循環溝３０の上側壁には収納チャンバ４３が設けられ、前記収納チャンバ４３の上側壁には伝動チャンバ４０が設けられ、前記循環溝３０の内部には循環装置３００が設けられ、前記収納チャンバ４３の内部には収納装置１００が設けられ、前記伝動チャンバ４０の内部には伝動装置２００が設けられ、前記一級物干しかご１６の内部には駆動機構５００が設けられ、前記駆動機構５００は動力軸３７とモータ３６を含み、前記循環溝３０の上側壁の中には動力チャンバ３４が設けられ、前記動力軸３７が前記動力チャンバ３４の内部に設けられ、前記モータ３６が前記動力チャンバ３４の左側壁の中に固定的に設けられ、前記動力軸３７の左端が前記モータ３６と伝動できるように連結され、駆動機構５００は伝動装置２００を回転連動させることができ、それにより収納装置１００を運動させ、物干しかごを収納する。
【００１４】
有益的には、前記収納装置１００は前記一級物干しかご１６の内部に回転可能に設けられる二級物干しかご１７を含み、前記二級物干しかご１７の内部には三級物干しかご１８が設けられ、前記三級物干しかご１８が一級物干しかご１６に回転可能に設けられ、前記三級物干しかご１８の内部には四級物干しかご１９が設けられ、前記四級物干しかご１９が前記一級物干しかご１６の表面に回転可能に設けられ、且つ前記一級物干しかご１６と、前記二級物干しかご１７と、前記三級物干しかご１８と、前記四級物干しかご１９はお互いに両方で組み合わせ、前記収納チャンバ４３の内部には収納リングギア２９が設けられ、前記収納リングギア２９が前記四級物干しかご１９と固定的に連結され、、前記収納チャンバ４３の内部には伝動軸４１が設けられ、前記伝動軸４１の底端には収納歯車４２が設けられ、前記収納歯車４２が前記収納リングギア２９と噛み合っている。
【００１５】
有益的には、前記伝動装置２００は前記伝動チャンバ４０の内部に回転可能に設けられる伝動主傘歯車３８を含み、前記伝動主傘歯車３８が前記動力軸３７の右端に回転可能に設けられ、前記伝動軸４１の頂端には前記伝動チャンバ４０の内部に位置している伝動副傘歯車３９が設けられ、前記伝動副傘歯車３９が前記伝動主傘歯車３８と噛み合っており、前記動力軸３７の内部にはトルク溝４５が設けられ、前記トルク溝４５の内部にはほぞ４４がスライド可能に設けられ、前記ほぞ４４が前記伝動主傘歯車３８と係合しており、前記ほぞ４４と前記トルク溝４５の底端にはトーションバネ４６が弾性に設けられる。
【００１６】
有益的には、前記循環装置３００は前記循環溝３０の内部に設けられる循環軸３２を含み、前記循環軸３２の外表面には循環扇３１が設けられ、前記循環軸３２の頂端には前記動力チャンバ３４の内部に位置している循環副傘歯車３３が設けられ、前記動力軸３７の外壁には前記動力チャンバ３４の内部に位置している循環主傘歯車３５が設けられ、前記循環主傘歯車３５が前記循環副傘歯車３３と噛み合っている。
【００１７】
有益的には、前記回転装置４００は前記旋転チャンバ２２の内部に回転可能に設けられる回転扇１３を含み、前記旋転扇１３の内部には回転リングギア２０が設けられ、前記旋転チャンバ２２の内部には遊星歯車２１が回転可能に設けられ、前記遊星歯車２１が前記回転リングギア２０と噛み合っており、前記旋転チャンバ２２の内部には中心軸２４が回転可能に設けられ、前記中心軸２４の表面には回転歯車２３が固定的に設けられ、前記回転歯車２３が前記遊星歯車２１と噛み合っており、前記中心軸２４の内部にはスライド溝２５が設けられ、前記スライド溝２５の内部には嵌合歯車２６がスライド可能に設けられ、前記嵌合歯車２６が前記回転歯車２３との係合から離脱し、前記中心体１２と前記旋転体１４との間には引っ張りバネ２８が弾性を持つように設けられ、前記旋転体１４が連接棒２７によって前記嵌合歯車２６と固定的に連結される。
【００１８】
初期状態には、四級物干しかご１９と、三級物干しかご１８と、二級物干しかご１７は全部一級物干しかご１６の内部に位置しており、嵌合歯車２６が回転歯車２３との係合から離脱する。
【００１９】
本設備を使うとき、使用者は設備を物干しロープにかけ、モータ３６が運転し始め、モータ３６が動力軸３７を回転連動させ、それにより循環主傘歯車３５及び伝動主傘歯車３８を回転連動させ、伝動主傘歯車３８は順次に伝動副傘歯車３９と、伝動軸４１と、収納歯車４２によって、収納リングギア２９を回転連動させ、それにより四級物干しかご１９を回転連動させ、それにより三級物干しかご１８と、二級物干しかご１７を順次に回転させ、四級物干しかご１９が一級物干しかご１６と係合するとき、ほぞ４４がトルク溝４５の内側に滑り、伝動主傘歯車３８との係合から離脱し、使用者は服を物干しかごに入れ、物干しかごは重力の作用で下に滑り、それにより旋転体１４を下にスライドさせ、連結棒２７によって嵌合歯車２６を下にスライドさせ、嵌合歯車２６が回転歯車２３と係合し、同時に循環主傘歯車３５が循環副傘歯車３３と、循環軸３２によって、循環扇３１を回転連動させ、循環扇３１が物干しかごの内部の空気を物干しかごの外部の空気と速く循環交換し、循環扇３１が空気を排出し、回転扇１３を回転連動させ、それにより回転リングギア２０と、遊星歯車２１と、回転歯車２３と、嵌合歯車２６と、連接棒２７によって、旋転体１４を回転連動させ、それにより物干しかごを回転連動させ、物干しかごの中の服を日光に循環に照らさせ、服が乾いた後、使用者が服を取り入れ、モータ３６が反対の方向に運転し、それにより動力軸３７を回転連動させ、四級物干しかご１９を反対の方向に回転連動させ、それにより三級物干しかご１８と、二級物干しかご１７と順次に反対の方向に回転連動させ、二級物干しかご１７と、三級物干しかご１８と、四級物干しかご１９は全部一級物干しかご１６の中に取り入れ、モータ３６の運転が停止する。
【００２０】
本発明の有益な効果は：構造が簡単であり、操作が便利であり、本設備は物干しかごの中の服の水分を速く空気に揮発させ、また循環に排出し、且つ使わないとき物干しかごを取り入れ、物干しかごの体積を縮小でき、そのため、本設備は高い使用と普及の価値がある。
【００２１】
以上に述べたのはただ本発明の具体的な実施方式であり、しかし本発明の保護範囲はここに限らないである。全部の創造的な労働を通じなく思いついた変化と取替は本発明の保護範囲にカバーされる。したがって、本発明の保護範囲は権利要求書が限定される保護範囲を標準とする。
【図１】
2020175147.tif 000003
【図２】
2020175147.tif 000004
【図３】
2020175147.tif 000005
【図４】
2020175147.tif 000006
【手続補正書】
【提出日】令和2年1月11日(2020.1.11)
【手続補正１】
【補正対象書類名】特許請求の範囲
【補正対象項目名】全文
【補正方法】変更
【補正の内容】
【特許請求の範囲】
【請求項１】
正面視で、中心体を含み、前記中心体の下には旋転体が設けられ、前記中心体の上にはフックが回転できるように設けられ、前記旋転体の下には第一物干しかごが設けられ、前記第一物干しかごと前記旋転体との間に肩ひもが柔らかく連結され、前記中心体の内部には旋転チャンバが設けられ、前記旋転チャンバの内部には回転装置が設けられ、前記第一物干しかごの内部には循環溝が設けられ、前記循環溝の上側壁には収納チャンバが設けられ、前記収納チャンバの上側壁には伝動チャンバが設けられ、前記循環溝の内部には循環装置が設けられ、前記収納チャンバの内部には収納装置が設けられ、前記伝動チャンバの内部には伝動装置が設けられ、前記第一物干しかごの内部には駆動機構が設けられ、前記駆動機構は動力軸とモータを含み、前記循環溝の上側壁の中には動力チャンバが設けられ、前記動力軸が前記動力チャンバの内部に設けられ、前記モータが前記動力チャンバの左側壁の中に固定的に設けられ、前記動力軸の左端が前記モータと伝動できるように連結され、駆動機構は伝動装置を回転連動させることができ、それにより収納装置を運動させ、物干しかごを収納することを特徴とする速乾物干しかご。
【請求項２】
前記収納装置は前記第一物干しかごの中に回転可能に設置された第二物干しかごを含み、前記第二物干しかごの中には第三物干しかごが設置され、前記第三物干しかごは前記第一物干しかごに回転可能に設置され、前記第三物干しかごの中には第四物干しかごが設置され、前記第四物干しかごは前記第一物干しかごの表面に回転可能に設置され、前記収納チャンバの内部には収納リングギアが設けられ、前記収納リングギアが前記第四物干しかごと固定的に連結され、、前記収納チャンバの内部には伝動軸が設けられ、前記伝動軸の底端には収納歯車が設けられ、前記収納歯車が前記収納リングギアと噛み合っていることを特徴とする請求項１に記載の速乾物干しかご。
【請求項３】
前記伝動装置は前記伝動チャンバの内部に回転可能に設けられる伝動主傘歯車を含み、前記伝動主傘歯車が前記動力軸の右端に回転可能に設けられ、前記伝動軸の頂端には前記伝動チャンバの内部に位置している伝動副傘歯車が設けられ、前記伝動副傘歯車が前記伝動主傘歯車と噛み合っており、前記動力軸の内部にはトルク溝が設けられ、前記トルク溝の内部にはほぞがスライド可能に設けられ、前記ほぞが前記伝動主傘歯車と係合しており、前記ほぞと前記トルク溝の底端にはトーションバネが弾性に設けられることを特徴とする請求項２に記載の速乾物干しかご。
【請求項４】
前記循環装置は前記循環溝の内部に設けられる循環軸を含み、前記循環軸の外表面には循環扇が設けられ、前記循環軸の頂端には前記動力チャンバの内部に位置している循環副傘歯車が設けられ、前記動力軸の外壁には前記動力チャンバの内部に位置している循環主傘歯車が設けられ、前記循環主傘歯車が前記循環副傘歯車と噛み合っていることを特徴とする請求項１に記載の速乾物干しかご。
【請求項５】
前記回転装置は前記旋転チャンバの内部に回転可能に設けられる回転扇を含み、前記旋転扇の内部には回転リングギアが設けられ、前記旋転チャンバの内部には遊星歯車が回転可能に設けられ、前記遊星歯車が前記回転リングギアと噛み合っており、前記旋転チャンバの内部には中心軸が回転可能に設けられ、前記中心軸の表面には回転歯車が固定的に設けられ、前記回転歯車が前記遊星歯車と噛み合っており、前記中心軸の内部にはスライド溝が設けられ、前記スライド溝の内部には嵌合歯車がスライド可能に設けられ、前記嵌合歯車が前記回転歯車との係合から離脱し、前記中心体と前記旋転体との間には引っ張りバネが弾性を持つように設けられ、前記旋転体が連接棒によって前記嵌合歯車と固定的に連結されることを特徴とする請求項４に記載の速乾物干しかご。
【手続補正２】
【補正対象書類名】明細書
【補正対象項目名】全文
【補正方法】変更
【補正の内容】
【発明の詳細な説明】
【技術分野】
【０００１】
本発明は日用品分野に関し、具体的には速乾物干しかごである。
【背景技術】
【０００２】
日常生活には、ある服は洗われた後掛かるとき変形しやすく、服の美しさと快適さに影響を与え、しかし物干しかごはこのような現象を避け、物干しかごに服を入れた後、干すまでに長い時間が必要であり、且つかごは体積が大きく、生活空間を占め、そのため、本発明は折りたたみ収納可能であり、また服の乾燥スピードを上げることができる物干しかごの設計を旨とする。
【先行技術文献】
【特許文献】
【０００３】
【特許文献１】中国特許出願公開第１０９１９９０４１号明細書
【発明の概要】
【発明が解決しようとする課題】
【０００４】
本発明は速乾物干しかごを提供し、既存技術にある上記の欠点を解消することを目的とする。
【課題を解決するための手段】
【０００５】
本発明の速乾物干しかごは、中心体を含み、前記中心体の下には旋転体が設けられ、前記中心体の上にはフックが回転できるように設けられ、前記旋転体の下には第一物干しかごが設けられ、前記第一物干しかごと前記旋転体との間に肩ひもが柔らかく連結され、前記中心体の内部には旋転チャンバが設けられ、前記旋転チャンバの内部には回転装置が設けられ、前記第一物干しかごの内部には循環溝が設けられ、前記循環溝の上側壁には収納チャンバが設けられ、前記収納チャンバの上側壁には伝動チャンバが設けられ、前記循環溝の内部には循環装置が設けられ、前記収納チャンバの内部には収納装置が設けられ、前記伝動チャンバの内部には伝動装置が設けられ、前記第一物干しかごの内部には駆動機構が設けられ、前記駆動機構は動力軸とモータを含み、前記循環溝の上側壁の中には動力チャンバが設けられ、前記動力軸が前記動力チャンバの内部に設けられ、前記モータが前記動力チャンバの左側壁の中に固定的に設けられ、前記動力軸の左端が前記モータと伝動できるように連結され、駆動機構は伝動装置を回転連動させることができ、それにより収納装置を運動させ、物干しかごを収納する。
【０００６】
有益的には、前記収納装置は前記第一物干しかごの中に回転可能に設置された第二物干しかごを含み、前記第二物干しかごの中には第三物干しかごが設置され、前記第三物干しかごは前記第一物干しかごに回転可能に設置され、前記第三物干しかごの中には第四物干しかごが設置され、前記第四物干しかごは前記第一物干しかごの表面に回転可能に設置され、前記収納チャンバの内部には収納リングギアが設けられ、前記収納リングギアが前記第四物干しかごと固定的に連結され、、前記収納チャンバの内部には伝動軸が設けられ、前記伝動軸の底端には収納歯車が設けられ、前記収納歯車が前記収納リングギアと噛み合っている。
【０００７】
有益的には、前記伝動装置は前記伝動チャンバの内部に回転可能に設けられる伝動主傘歯車を含み、前記伝動主傘歯車が前記動力軸の右端に回転可能に設けられ、前記伝動軸の頂端には前記伝動チャンバの内部に位置している伝動副傘歯車が設けられ、前記伝動副傘歯車が前記伝動主傘歯車と噛み合っており、前記動力軸の内部にはトルク溝が設けられ、前記トルク溝の内部にはほぞがスライド可能に設けられ、前記ほぞが前記伝動主傘歯車と係合しており、前記ほぞと前記トルク溝の底端にはトーションバネが弾性に設けられる。
【０００８】
有益的には、前記循環装置は前記循環溝の内部に設けられる循環軸を含み、前記循環軸の外表面には循環扇が設けられ、前記循環軸の頂端には前記動力チャンバの内部に位置している循環副傘歯車が設けられ、前記動力軸の外壁には前記動力チャンバの内部に位置している循環主傘歯車が設けられ、前記循環主傘歯車が前記循環副傘歯車と噛み合っている。
【０００９】
有益的には、前記回転装置は前記旋転チャンバの内部に回転可能に設けられる回転扇を含み、前記旋転扇の内部には回転リングギアが設けられ、前記旋転チャンバの内部には遊星歯車が回転可能に設けられ、前記遊星歯車が前記回転リングギアと噛み合っており、前記旋転チャンバの内部には中心軸が回転可能に設けられ、前記中心軸の表面には回転歯車が固定的に設けられ、前記回転歯車が前記遊星歯車と噛み合っており、前記中心軸の内部にはスライド溝が設けられ、前記スライド溝の内部には嵌合歯車がスライド可能に設けられ、前記嵌合歯車が前記回転歯車との係合から離脱し、前記中心体と前記旋転体との間には引っ張りバネが弾性を持つように設けられ、前記旋転体が連接棒によって前記嵌合歯車と固定的に連結される。
【発明の効果】
【００１０】
本発明の有益な効果は：構造が簡単であり、操作が便利であり、本設備は物干しかごの中の服の水分を速く空気に揮発させ、また循環に排出し、且つ使わないとき物干しかごを取り入れ、物干しかごの体積を縮小でき、そのため、本設備は高い使用と普及の価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の速乾物干しかごの全体構造略図
【図２】図２は図１におけるＡの構造略図
【図３】図３は図１におけるＢの構造略図
【図４】図４は図３におけるＣの構造略図
【発明を実施するための形態】
【００１３】
図１〜４の示すように、本発明の速乾物干しかごは、中心体１２を含み、前記中心体１２の下には旋転体１４が設けられ、前記中心体１２の上にはフック１１が回転できるように設けられ、前記旋転体１４の下には第一物干しかご１６が設けられ、前記第一物干しかご１６と前記旋転体１４との間に肩ひも１５が柔らかく連結され、前記中心体１２の内部には旋転チャンバ２２が設けられ、前記旋転チャンバ２２の内部には回転装置４００が設けられ、前記第一物干しかご１６の内部には循環溝３０が設けられ、前記循環溝３０の上側壁には収納チャンバ４３が設けられ、前記収納チャンバ４３の上側壁には伝動チャンバ４０が設けられ、前記循環溝３０の内部には循環装置３００が設けられ、前記収納チャンバ４３の内部には収納装置１００が設けられ、前記伝動チャンバ４０の内部には伝動装置２００が設けられ、前記第一物干しかご１６の内部には駆動機構５００が設けられ、前記駆動機構５００は動力軸３７とモータ３６を含み、前記循環溝３０の上側壁の中には動力チャンバ３４が設けられ、前記動力軸３７が前記動力チャンバ３４の内部に設けられ、前記モータ３６が前記動力チャンバ３４の左側壁の中に固定的に設けられ、前記動力軸３７の左端が前記モータ３６と伝動できるように連結され、駆動機構５００は伝動装置２００を回転連動させることができ、それにより収納装置１００を運動させ、物干しかごを収納する。
【００１４】
有益的には、前記収納装置１００は前記第一物干しかご１６の中に回転可能に設置された第二物干しかご１７を含み、前記第二物干しかご１７の中には第三物干しかご１８が設置され、前記第三物干しかご１８は前記第一物干しかご１６に回転可能に設置され、前記第三物干しかご１８の中には第四物干しかご１９が設置され、前記第四物干しかご１９は前記第一物干しかご１６の表面に回転可能に設置され、前記収納チャンバ４３の内部には収納リングギア２９が設けられ、前記収納リングギア２９が前記第四物干しかご１９と固定的に連結され、、前記収納チャンバ４３の内部には伝動軸４１が設けられ、前記伝動軸４１の底端には収納歯車４２が設けられ、前記収納歯車４２が前記収納リングギア２９と噛み合っている。
【００１５】
有益的には、前記伝動装置２００は前記伝動チャンバ４０の内部に回転可能に設けられる伝動主傘歯車３８を含み、前記伝動主傘歯車３８が前記動力軸３７の右端に回転可能に設けられ、前記伝動軸４１の頂端には前記伝動チャンバ４０の内部に位置している伝動副傘歯車３９が設けられ、前記伝動副傘歯車３９が前記伝動主傘歯車３８と噛み合っており、前記動力軸３７の内部にはトルク溝４５が設けられ、前記トルク溝４５の内部にはほぞ４４がスライド可能に設けられ、前記ほぞ４４が前記伝動主傘歯車３８と係合しており、前記ほぞ４４と前記トルク溝４５の底端にはトーションバネ４６が弾性に設けられる。
【００１６】
有益的には、前記循環装置３００は前記循環溝３０の内部に設けられる循環軸３２を含み、前記循環軸３２の外表面には循環扇３１が設けられ、前記循環軸３２の頂端には前記動力チャンバ３４の内部に位置している循環副傘歯車３３が設けられ、前記動力軸３７の外壁には前記動力チャンバ３４の内部に位置している循環主傘歯車３５が設けられ、前記循環主傘歯車３５が前記循環副傘歯車３３と噛み合っている。
【００１７】
有益的には、前記回転装置４００は前記旋転チャンバ２２の内部に回転可能に設けられる回転扇１３を含み、前記旋転扇１３の内部には回転リングギア２０が設けられ、前記旋転チャンバ２２の内部には遊星歯車２１が回転可能に設けられ、前記遊星歯車２１が前記回転リングギア２０と噛み合っており、前記旋転チャンバ２２の内部には中心軸２４が回転可能に設けられ、前記中心軸２４の表面には回転歯車２３が固定的に設けられ、前記回転歯車２３が前記遊星歯車２１と噛み合っており、前記中心軸２４の内部にはスライド溝２５が設けられ、前記スライド溝２５の内部には嵌合歯車２６がスライド可能に設けられ、前記嵌合歯車２６が前記回転歯車２３との係合から離脱し、前記中心体１２と前記旋転体１４との間には引っ張りバネ２８が弾性を持つように設けられ、前記旋転体１４が連接棒２７によって前記嵌合歯車２６と固定的に連結される。
【００１８】
初期状態には、第四物干しかご１９と、第三物干しかご１８と、第二物干しかご１７は全部第一物干しかご１６の内部に位置しており、嵌合歯車２６が回転歯車２３との係合から離脱する。
【００１９】
本設備を使うとき、使用者は設備を物干しロープにかけ、モータ３６が運転し始め、モータ３６が動力軸３７を回転連動させ、それにより循環主傘歯車３５及び伝動主傘歯車３８を回転連動させ、伝動主傘歯車３８は順次に伝動副傘歯車３９と、伝動軸４１と、収納歯車４２によって、収納リングギア２９を回転連動させ、それにより第四物干しかご１９を回転連動させ、それにより第三物干しかご１８と、第二物干しかご１７を順次に回転させ、第四物干しかご１９が第一物干しかご１６と係合するとき、ほぞ４４がトルク溝４５の内側に滑り、伝動主傘歯車３８との係合から離脱し、使用者は服を物干しかごに入れ、物干しかごは重力の作用で下に滑り、それにより旋転体１４を下にスライドさせ、連結棒２７によって嵌合歯車２６を下にスライドさせ、嵌合歯車２６が回転歯車２３と係合し、同時に循環主傘歯車３５が循環副傘歯車３３と、循環軸３２によって、循環扇３１を回転連動させ、循環扇３１が物干しかごの内部の空気を物干しかごの外部の空気と速く循環交換し、循環扇３１が空気を排出し、回転扇１３を回転連動させ、それにより回転リングギア２０と、遊星歯車２１と、回転歯車２３と、嵌合歯車２６と、連接棒２７によって、旋転体１４を回転連動させ、それにより物干しかごを回転連動させ、物干しかごの中の服を日光に循環に照らさせ、服が乾いた後、使用者が服を取り入れ、モータ３６が反対の方向に運転し、それにより動力軸３７を回転連動させ、第四物干しかご１９を反対の方向に回転連動させ、それにより第三物干しかご１８と、第二物干しかご１７と順次に反対の方向に回転連動させ、第二物干しかご１７と、第三物干しかご１８と、第四物干しかご１９は全部第一物干しかご１６の中に取り入れ、モータ３６の運転が停止する。
【００２０】
本発明の有益な効果は：構造が簡単であり、操作が便利であり、本設備は物干しかごの中の服の水分を速く空気に揮発させ、また循環に排出し、且つ使わないとき物干しかごを取り入れ、物干しかごの体積を縮小でき、そのため、本設備は高い使用と普及の価値がある。
【００２１】
以上に述べたのはただ本発明の具体的な実施方式であり、しかし本発明の保護範囲はここに限らないである。全部の創造的な労働を通じなく思いついた変化と取替は本発明の保護範囲にカバーされる。したがって、本発明の保護範囲は権利要求書が限定される保護範囲を標準とする。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
正面視で、中心体を含み、前記中心体の下には旋転体が設けられ、前記中心体の上にはフックが回転できるように設けられ、前記旋転体の下には第一物干しかごが設けられ、前記第一物干しかごと前記旋転体との間に肩ひもが柔らかく連結され、前記中心体の内部には旋転チャンバが設けられ、前記旋転チャンバの内部には回転装置が設けられ、前記第一物干しかごの内部には循環溝が設けられ、前記循環溝の上側壁には収納チャンバが設けられ、前記収納チャンバの上側壁には伝動チャンバが設けられ、前記循環溝の内部には循環装置が設けられ、前記収納チャンバの内部には収納装置が設けられ、前記伝動チャンバの内部には伝動装置が設けられ、前記第一物干しかごの内部には駆動機構が設けられ、前記駆動機構は動力軸とモータを含み、前記循環溝の上側壁の中には動力チャンバが設けられ、前記動力軸が前記動力チャンバの内部に設けられ、前記モータが前記動力チャンバの左側壁の中に固定的に設けられ、前記動力軸の左端が前記モータと伝動できるように連結され、駆動機構は伝動装置を回転連動させることができ、それにより収納装置を運動させ、物干しかごを収納し、
前記収納装置は前記第一物干しかごの中に回転可能に設置された第二物干しかごを含み、前記第二物干しかごの中には第三物干しかごが設置され、前記第三物干しかごは前記第一物干しかごに回転可能に設置され、前記第三物干しかごの中には第四物干しかごが設置され、前記第四物干しかごは前記第一物干しかごの表面に回転可能に設置され、前記収納チャンバの内部には収納リングギアが設けられ、前記収納リングギアが前記第四物干しかごと固定的に連結され、、前記収納チャンバの内部には伝動軸が設けられ、前記伝動軸の底端には収納歯車が設けられ、前記収納歯車が前記収納リングギアと噛み合っており、
前記伝動装置は前記伝動チャンバの内部に回転可能に設けられる伝動主傘歯車を含み、前記伝動主傘歯車が前記動力軸の右端に回転可能に設けられ、前記伝動軸の頂端には前記伝動チャンバの内部に位置している伝動副傘歯車が設けられ、前記伝動副傘歯車が前記伝動主傘歯車と噛み合っており、前記動力軸の内部にはトルク溝が設けられ、前記トルク溝の内部にはほぞがスライド可能に設けられ、前記ほぞが前記伝動主傘歯車と係合しており、前記ほぞと前記トルク溝の底端にはトーションバネが弾性に設けられ、
前記循環装置は前記循環溝の内部に設けられる循環軸を含み、前記循環軸の外表面には循環扇が設けられ、前記循環軸の頂端には前記動力チャンバの内部に位置している循環副傘歯車が設けられ、前記動力軸の外壁には前記動力チャンバの内部に位置している循環主傘歯車が設けられ、前記循環主傘歯車が前記循環副傘歯車と噛み合っており、
前記回転装置は前記旋転チャンバの内部に回転可能に設けられる回転扇を含み、前記旋転扇の内部には回転リングギアが設けられ、前記旋転チャンバの内部には遊星歯車が回転可能に設けられ、前記遊星歯車が前記回転リングギアと噛み合っており、前記旋転チャンバの内部には中心軸が回転可能に設けられ、前記中心軸の表面には回転歯車が固定的に設けられ、前記回転歯車が前記遊星歯車と噛み合っており、前記中心軸の内部にはスライド溝が設けられ、前記スライド溝の内部には嵌合歯車がスライド可能に設けられ、前記嵌合歯車が前記回転歯車との係合から離脱し、前記中心体と前記旋転体との間には引っ張りバネが弾性を持つように設けられ、前記旋転体が連接棒によって前記嵌合歯車と固定的に連結され、
初期状態には、前記第四物干しかごと、前記第三物干しかごと、前記第二物干しかごは全部前記第一物干しかごの内部に位置しており、前記嵌合歯車が前記回転歯車との係合から離脱し、
本設備を使うとき、使用者は設備を前記物干しロープにかけ、前記モータが運転し始め、前記モータが動力軸を回転連動させ、それにより前記循環主傘歯車及び前記伝動主傘歯車を回転連動させ、前記伝動主傘歯車は順次に前記伝動副傘歯車と、前記伝動軸と、前記収納歯車によって、前記収納リングギアを回転連動させ、それにより前記第四物干しかごを回転連動させ、それにより前記第三物干しかごと、前記第二物干しかごを順次に回転させ、前記第四物干しかごが前記第一物干しかごと係合するとき、ほぞが前記トルク溝の内側に滑り、前記伝動主傘歯車との係合から離脱し、使用者は服を前記物干しかごに入れ、前記物干しかごは重力の作用で下に滑り、それにより前記旋転体を下にスライドさせ、前記連結棒によって前記嵌合歯車を下にスライドさせ、前記嵌合歯車が前記回転歯車と係合し、同時に前記循環主傘歯車が前記循環副傘歯車と、前記循環軸によって、前記循環扇を回転連動させ、前記循環扇が前記物干しかごの内部の空気を前記物干しかごの外部の空気と速く循環交換し、前記循環扇が空気を排出し、前記回転扇を回転連動させ、それにより前記回転リングギアと、前記遊星歯車と、前記回転歯車と、前記嵌合歯車と、前記連接棒によって、前記旋転体を回転連動させ、それにより前記物干しかごを回転連動させ、前記物干しかごの中の服を日光に循環に照らさせ、服が乾いた後、使用者が服を取り入れ、前記モータが反対の方向に運転し、それにより前記動力軸を回転連動させ、前記第四物干しかごを反対の方向に回転連動させ、それにより前記第三物干しかごと、前記第二物干しかごと順次に反対の方向に回転連動させ、前記第二物干しかごと、前記第三物干しかごと、前記第四物干しかごは全部前記第一物干しかごの中に取り入れ、前記モータの運転が停止することを特徴とする速乾物干しかご。